(57)【要約】【課題】掃除動作中、緊急信号の受信を確実に使用者に報知する電気掃除機を提供する。【解決手段】電機子（図示せず）のモータ軸（図示せず）に備えられ磁性体からなるインペラ４５と、インペラ４５をケーシングする非磁性体からなるファンケース４６を有した電動送風機（図示せず）を備え、さらに、ファンケース４６の近傍に配置された永久磁石４８と、永久磁石４８をファンケース４６に接触あるいは引き離すアクチュエータ４７と、掃除機本体（図示せず）に電力を供給する電源コード（図示せず）を介して電話機（図示せず）と通信するＰＬＣ通信制御部（図示せず）とを備え、ＰＬＣ通信制御部が信号を受信したときに、電動送風機の運転を停止し永久磁石４８をファンケース４６に近接させるもので、電話機から緊急地震速報が発令されると、すぐにインペラ４５の回転が停止するので、使用者は確実に異常に気が付くことができる。【選択図】図４
2013230170.tif 000002
【特許請求の範囲】
【請求項１】
整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された磁石と、前記磁石をファンケースに接触あるいは引き離す可動手段と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記可動手段を制御する制御部とを備え、前記ＰＬＣ通信制御部が信号を受信したときに、前記電動送風機の運転を停止させると共に、前記磁石を前記ファンケースに近接させることを特徴とした電気掃除機。
【請求項２】
整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された電磁石と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記電磁石を制御する制御部とを備え、前記ＰＬＣ通信制御部が信号を受信したときに、前記電動送風機の運転を停止させると共に、前記電磁石に通電することを特徴とした電気掃除機。
【請求項３】
光素子を備え、ＰＬＣ通信制御部からの信号を受信したときに、光を用いて使用者に報知すること特徴とした請求項１または２に記載の電気掃除機。
【請求項４】
音を発する素子を備え、ＰＬＣ通信制御部からの信号を受信したときに、音を用いて使用者に報知することを特徴とした請求項１または２に記載の電気掃除機。
【請求項５】
振動を生じる素子を備え、ＰＬＣ通信制御部からの信号を受信したときに、振動を用いて使用者に報知することを特徴とした請求項１または２に記載の電気掃除機。
【発明の詳細な説明】
【技術分野】
【０００１】
本発明は、使い勝手のよい電気掃除機に関するものである。
【背景技術】
【０００２】
従来の電気掃除機は低騒音化されたとしても、掃除機本体に内蔵された電動送風機は、一般家庭の日常生活の中で発生する騒音としては比較的大きい騒音を発生させていた（例えば、特許文献１参照）。
【先行技術文献】
【特許文献】
【０００３】
【特許文献１】特開２０１１−１４４７５７号公報
【発明の概要】
【発明が解決しようとする課題】
【０００４】
しかしながら、上記特許文献１に記載されたような従来の電気掃除機の構成では、使用者が外部の異常音に気がついて電気掃除機を停止し、電動送風機への電源供給を停止させた後でも、電動送風機のロータが慣性により回転するため、電動送風機の回転音がすぐには止まらず、しばらくは異常音の正常な認識が妨げられていた。
【０００５】
本発明は、上記従来の課題を解決するものであって、電動送風機の回転を瞬時に停止させることによって、電動送風機停止後の騒音を大幅に低減した電気掃除機を提供することを目的とする。
【課題を解決するための手段】
【０００６】
前記従来の課題を解決するために、本発明の電気掃除機は、整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された磁石と、前記磁石をファンケースに接触あるいは引き離す可動手段と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記可動手段を制御する制御部とを備え、前記ＰＬＣ通信制御部が信号を受信したときに、前記電動送風機の運転を停止させると共に、前記磁石を前記ファンケースに近接させるもので、信号の受信後すぐに電動送風機の回転を停止させることで、例えば外部通信機から緊急地震速報が発令されたときに、使用者が確実に異常に気が付くことができるものである。
【０００７】
また、本発明の電気掃除機は、整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された電磁石と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記電磁石を制御する制御部とを備え、前記ＰＬＣ通信制御部が信号を受信したときに、前記電動送風機の運転を停止させると共に、前記電磁石に通電するもので、信号の受信と同時に電動送風機の回転を停止させることで、例えば外部通信機から緊急地震速報が発令されたときに、使用者
が確実に異常に気が付くことができるものである。
【発明の効果】
【０００８】
本発明の電気掃除機は、外部通信機から緊急信号速報が発令されたときに瞬時に電気掃除機の電動送風機の回転を停止させることで、使用者が確実に異常に気が付くことが出来るものである。
【図面の簡単な説明】
【０００９】
【図１】本発明の実施の形態１における電気掃除機の斜視外観図
【図２】同電気掃除機の制御ブロック図
【図３】同電気掃除機の電動送風機の断面図
【図４】同電動送風機のインペラ近傍の断面図
【図５】本発明の実施の形態２における電気掃除機の制御ブロック図
【図６】同電気掃除機の電動送風機のインペラ近傍の断面図
【発明を実施するための形態】
【００１０】
第１の発明は、整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された磁石と、前記磁石をファンケースに接触あるいは引き離す可動手段と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記可動手段を制御する制御部とを備え、前記ＰＬＣ通信制御部が信号を受信したときに、前記電動送風機の運転を停止させると共に、前記磁石を前記ファンケースに近接させるもので、信号の受信後すぐに電動送風機の回転を停止させることで、例えば外部通信機から緊急地震速報が発令されたときに、使用者が確実に異常に気が付くことができるものである。
【００１１】
第２の発明は、整流子とモータ軸を有する電機子と、前記電機子と界磁を保持した負荷側及び反負荷側ブラケットからなるモータ部と、前記モータ軸に備えられ磁性体からなるインペラと、前記インペラをケーシングする非磁性体からなるファンケースとを有した電動送風機を備え、さらに、前記ファンケースの近傍に配置された電磁石と、掃除機本体内部に電力を供給する電源コードと、前記電源コードを介して外部通信機と通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号を処理して、前記電動送風機及び前記電磁石を制御する制御部とを備え、前記ＰＬＣ通信制御部が信号を受信したときに、前記電動送風機の運転を停止させると共に、前記電磁石に通電するもので、信号の受信と同時に電動送風機の回転を停止させることで、例えば外部通信機から緊急地震速報が発令されたときに、使用者が確実に異常に気が付くことができるものである。
【００１２】
第３の発明は、特に、第１又は第２の発明の電気掃除機において、光素子を備え、ＰＬＣ通信制御部からの信号を受信したときに、光を用いて使用者に報知するもので、より確実に使用者が異常に気がつくことができるものである。
【００１３】
第４の発明は、特に、第１又は第２の発明の電気掃除機において、音を発する素子を備え、ＰＬＣ通信制御部からの信号を受信したときに、音を用いて使用者に報知するもので、より確実に使用者が異常に気がつくことができるものである。
【００１４】
第５の発明は、特に、第１又は第２の発明の電気掃除機において、振動を生じる素子を
備え、ＰＬＣ通信制御部からの信号を受信したときに、振動を用いて使用者に報知するもので、より確実に使用者が異常に気がつくことができるものである。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機の斜視外観図、図２は、同電気掃除機の制御ブロック図、図３は、同電気掃除機の電動送風機の断面図、図４は、同電動送風機のインペラ近傍の断面図である。
【００１７】
図１において、本実施の形態における電気掃除機の掃除機本体１は、後部に吸引風を発生する電動送風機２を内蔵し、その前部に、着脱自在で塵埃を捕集する集塵袋３を配置している。掃除機本体１の後方下部の両側には、１対の走行用の車輪４が回転自在に取着され、底面前部には、同じく走行用のキャスター５が取着され、後部には、掃除機本体１に電源を供給する電源コード６が接続され、電源コード６の先端には、コンセント７に接続するための電源プラグ８が配置されている。
【００１８】
また、掃除機本体１の内部には、電源コード６を介して外部通信機の一つである電話機９との信号の伝達を行うＰＬＣ（Ｐｏｗｅｒ  Ｌｉｎｅ  Ｃｏｍｍｕｎｉｃａｔｉｏｎ）通信制御部１０と、ＰＬＣ通信制御部１０からの信号を受けて、電動送風機２を制御する制御部１１が内蔵されている。
【００１９】
また、電話機９は、ホームサーバ（図示せず）と無線接続されており、緊急地震速報の受信時には、ホームサーバーを経由してＰＬＣ通信制御部１０へ向けて受信信号を発信する機能を有する。
【００２０】
掃除機本体１には、着脱自在に接続されるホース２１が接続されている。このホース２１の手元には、操作手段２２があり、各種の動作モード（例えば、「強」・「中」・「弱」・切等の吸込み力）を選択できるようになっている。そして、ホース２１は、その片方を伸縮自在或いは継ぎ自在の延長管２３と接続する。延長管２３は、掃除面に接して被掃除面の塵埃等を吸引するための吸込具２４と接続される。吸込具２４は、被掃除面の塵埃を掻き上げる回転ブラシ２５と、ベルト２６を介して回転ブラシ２５を回転駆動する電動機２７を内蔵している。
【００２１】
また、ホース２１の手元には、光を放つ光素子としてＬＥＤ２８、音を発する素子としてスピーカー２９、振動を生じる素子としてバイブレーションモータ３０がそれぞれ配置されており、それぞれ制御部１１に電気的に接続されている。
【００２２】
図３において、電動送風機２のモータ部１５は、整流子３１と、電機子巻線３２を有する電機子３３を備え、前記電機子巻線３２は、電機子コアー３４の外周に巻かれている。前記電機子３３は、モータ軸３５の両端に軸受３６が圧入され、この軸受３６を、負荷側ブラケット３７と反負荷側ブラケット３８にて支持している。カーボンブラシ４０を内蔵した金属からなるブラシホルダー３９は、反負荷側ブラケット３８にて保持されている。界磁４１は、界磁巻線４２を有し、前記界磁巻線４２は、界磁コアー４３の外周に巻かれている。
【００２３】
ファン部のエアガイド４４は、負荷側ブラケット３７と、負荷であり空気吸引、吹き出し用の磁性体の金属からなるインペラ４５との間に形成した整流用の部品であり、インペラ４５の上方は、非磁性体からなるファンケース４６で覆われている。
【００２４】
図４は、本実施の形態における電動送風機２のファン部近傍の断面図である。
【００２５】
制御部１１からの信号によって永久磁石４８をファンケース４６に近づける、あるいは遠ざけるためのアクチュエータ４７が設けられている。
【００２６】
以上のように構成された本実施の形態における電気掃除機について、以下その動作、作用を説明する。
【００２７】
使用者が、電源プラグ８をコンセント７に接続後に操作手段２２を操作し、例えば、「中」を選択すると、制御部１１は操作手段２２からの情報を基に、電動送風機２及び電動機２７を駆動させる。
【００２８】
その後、使用者が「切」を選択すると、制御部１１は電動送風機２への通電を停止させ、電動送風機２は停止する。
【００２９】
しかし電動送風機２の電機子３３は慣性により通電が停止した後も回転を続け、カーボンブラシ４０と整流子３１との摩擦音や、インペラ４５の風きり音などで通電停止後も１０秒程度の間は騒音を発生し続け、その間使用者は掃除機本体１以外からの音を認識困難な状態となる。
【００３０】
ここで、本実施の形態では、電話機９に緊急地震速報の受信があると、電話機９はホームサーバー（図示せず）を経由して、ＰＬＣ通信制御部１０へ向けて電源コード６を介して受信信号を発信する。受信信号を受信したＰＬＣ通信制御部１０は、受信信号を制御部１１へ伝達し、制御部１１は電動送風機２と電動機２７を停止させると同時にアクチュエータ４７を動作させ、永久磁石４８をファンケース４６の近傍に近づける。
【００３１】
このときファンケース４６は、非磁性体からなるため、永久磁石４８の磁力は、直接、インペラ４５に伝わり、インペラ４５の回転に対して大きなブレーキを発生させるため、インペラ４５は瞬時に停止し、カーボンブラシ４０と整流子３１との摩擦音や、インペラ４５の風きり音などで発生していた騒音も瞬時に停止する。
【００３２】
また、制御部１１は、電動送風機２の停止と同時に、ＬＥＤ２８を点灯させ、スピーカー２９から警告音を発すると共に、バイブレーションモータ３０を動作させ、使用者に異常を報知する。
【００３３】
以上の動作によって使用者は掃除機本体１を使用中に緊急地震速報が発令されても、信号の受信後すぐに電動送風機２の回転が停止するので、使用者は確実に異常に気が付くことができる。
【００３４】
（実施の形態２）
図５は、本発明の第２の実施の形態における電気掃除機の制御ブロック図、図６は、同電気掃除機の電動送風機のインペラ近傍の断面図である。なお、上記実施の形態１における電気掃除機と同一部分については同一符号を付してその説明を省略する。
【００３５】
本実施の形態における電気掃除機は、図５、６に示すように、制御部１１からの通電によって磁力を発生する電磁石５０を、ファンケース４６の上面に近接あるいは接触させて設けたものである。
【００３６】
以上のように構成された本実施の形態における電気掃除機について、以下その動作、作
用を説明する。
【００３７】
電話機９に緊急地震速報の受信があると、電話機９は、ホームサーバー（図示せず）を経由して、ＰＬＣ通信制御部１０へ向けて電源コード６を介して受信信号を発信する。受信信号を受信したＰＬＣ通信制御部１０は、受信信号を制御部１１へ伝達し、制御部１１は電動送風機２と電動機２７を停止させると、電磁石５０に通電を行い、磁力を発生させる。
【００３８】
このとき、ファンケース４６は非磁性体からなるため、電磁石５０の磁力は直接、インペラ４５に伝わり、インペラ４５の回転に対して大きなブレーキを発生させるため、インペラ４５は瞬時に停止し、カーボンブラシ４０と整流子３１との摩擦音や、インペラ４５の風きり音などで発生していた騒音も瞬時に停止する。
【００３９】
また、制御部１１は電動送風機２の停止と同時に、ＬＥＤ２８を点灯させ、スピーカー２９から警告音を発すると共に、バイブレーションモータ３０を動作させ、使用者に異常を報知する。
【００４０】
以上の動作によって、使用者が掃除機本体１を使用中に緊急地震速報が発令されても、信号の受信後すぐに電動送風機２の回転が停止するので、使用者は確実に異常に気が付くことができる。
【００４１】
なお、上記実施の形態では、電磁石５０を、ファンケース４６の上面に近接あるいは接触させて設けるようにしたが、ファンケース４６の側面に近接あるいは接触させて設けても良い。
【産業上の利用可能性】
【００４２】
以上のように、本発明に係る電気掃除機は、電気掃除機の運転停止時に、電動送風機の回転を瞬時に停止させて、電動送風機の運転停止後の騒音を大幅に低減できるもので、各種家庭用、業務用電気掃除機等に広く適用できる。
【符号の説明】
【００４３】
１  掃除機本体
２  電動送風機
６  電源コード
９  電話機（外部通信機）
１０  ＰＬＣ通信制御部
１１  制御部
１５  モータ部
２８  ＬＥＤ（光素子）
２９  スピーカー（音を発する素子）
３０  バイブレーションモータ（振動を生じる素子）
４５  インペラ
４６  ファンケース
４７  アクチュエータ（可動手段）
４８  永久磁石（磁石）
５０  電磁石
【図１】
2013230170.tif 000003
【図２】
2013230170.tif 000004
【図４】
2013230170.tif 000005
【図５】
2013230170.tif 000006
【図６】
2013230170.tif 000007
【図３】
2013230170.tif 000008